(57)【要約】【課題】どの印字が何に関する情報なのかを容易に把握可能とすること。【解決手段】基材フィルム１４の一方面にデータ記憶可能な磁気記録層１６を有するとともに、基材フィルム１４の他方面に熱印加により表示情報の書き込みと消去とを繰返し可能な可逆性感熱記録材料から成るリライト記録層１５を有し、前記リライト記録層１５の所定位置に表示情報を表示記録可能な情報表示部２が形成されたリライトカード１であって、前記情報表示部２が異なる種別の複数種の表示情報を個別に表示するための複数の表示範囲４、５、６から成るとともに、少なくとも隣り合う表示範囲が互いに異なる色若しくは濃淡となるような着色層１２を有し、各表示範囲４、５、６を顕在化する。【選択図】    図２
2005028752.tif 000002
【特許請求の範囲】
【請求項１】
基材フィルムの一方面にデータ記憶可能な磁気記録層を有するとともに、基材フィルムの他方面に熱印加により表示情報の書き込みと消去とを繰返し可能な可逆性感熱記録材料から成るリライト記録層を有し、前記リライト記録層の所定位置に表示情報を表示記録可能な情報表示部が形成されたリライトカードであって、
前記情報表示部が異なる種別の複数種の表示情報を個別に表示するための複数の表示範囲から成るとともに、少なくとも隣り合う表示範囲が互いに異なる色若しくは濃淡となるような着色層を有し、各表示範囲を顕在化したことを特徴とするリライトカード。
【請求項２】
前記着色層を前記リライト記録層の上面側に有する請求項１に記載のリライトカード。
【請求項３】
前記着色層が紫外線硬貨インク層或いは染料インク層から成り、該紫外線硬貨インク層或いは染料インク層を前記表示範囲の全面に有する請求項２に記載のリライトカード。
【請求項４】
前記染料インク層の上面に透明な保護層を有する請求項３に記載のリライトカード。
【請求項５】
前記可逆性感熱記録材料が、ロイコ染料と顕色剤と凝集、解離により発色、消去が可能なロイコ式感熱記録材料であり、前記基材フィルムが、前記リライト記録層の形成面に白色表面を有する請求項１〜４のいずれかに記載のリライトカード。
【請求項６】
前記ロイコ式感熱記録材料により発色する色が、黒色である請求項５に記載のリライトカード。
【請求項７】
前記情報表示部の外周部に、カード種別に対応する色調を有する印刷層を有する請求項１〜６のいずれかに記載のリライトカード。
【請求項８】
前記異なる種別の表示情報の１つが、給油並びに給油に伴う金銭に関する表示情報であり、前記異なる種別の表示情報の１つが、会員または会員が所有する車輌に関する情報である請求項１〜７のいずれかに記載のリライトカード。
【発明の詳細な説明】
【０００１】
【発明の属する技術の分野】
本発明は、表示情報を繰返し書き込み、消去が可能なリライトカードに関する。
【０００２】
【従来の技術】
近年、プリペイドカードや会員用のポイントカードのように、所有者が確認できるようにするために、残額やポイント等の情報を最新の残額やポイント数に書き換え印字することのできるリライトカードが使用されている。
【０００３】
これらリライトカードは、書き換え速度や印字濃度の向上等が計られるとともに、その表示解像度も向上し、より多くの文字等の情報を印字して表示できるようになってきている。
【０００４】
一方、近年においては、利用者へのサービス向上や販売促進のためとともに、利用者が複数のカードを所持する面倒を解消するために、１つのリライトカードに複数の機能、例えばプリペイド機能や会員カードの機能等を持たせることが実施されてきている。
【０００５】
【発明が解決しようとする課題】
このように、１つのリライトカードに複数の機能を持たせた場合でも、前記したように、リライトカードの性能向上に伴って多くの表示情報を印字できることから、各機能において利用者が確認可能とする情報を印字することが可能であっても、印字容量が多くなるために、どの印字が何に関する情報なのか等を利用者が把握し難いという問題があった。
【０００６】
よって、本発明は上記した問題点に着目してなされたもので、どの印字が何に関する情報なのかを容易に把握することのできるリライトカードを提供することを目的としている。
【０００７】
【課題を解決するための手段】
前記した問題を解決するために、本発明のリライトカードは、基材フィルムの一方面にデータ記憶可能な磁気記録層を有するとともに、基材フィルムの他方面に熱印加により表示情報の書き込みと消去とを繰返し可能な可逆性感熱記録材料から成るリライト記録層を有し、前記リライト記録層の所定位置に表示情報を表示記録可能な情報表示部が形成されたリライトカードであって、
前記情報表示部が異なる種別の複数種の表示情報を個別に表示するための複数の表示範囲から成るとともに、少なくとも隣り合う表示範囲が互いに異なる色若しくは濃淡となるような着色層を有し、各表示範囲を顕在化したことを特徴としている。
この特徴によれば、各種別の表示情報が記録表示される表示範囲が、異なる色若しくは濃淡となる着色層により顕在化されることで、該表示範囲を目視にて容易に識別できるようになるため、所持者は、どの表示範囲に表示されている表示情報が何に関する情報なのかを容易に把握することができる。
【０００８】
本発明のリライトカードは、前記着色層を前記リライト記録層の上面側に有することが好ましい。
このようにすれば、リライト記録層が形成された後工程において、表示範囲に対応して着色層を形成できるようになるため、リライト記録層を有する原反を、表示範囲の違うリライトカードにおいて共通化することができ、リライトカードの製造コストを低減できる。
【０００９】
本発明のリライトカードは、前記着色層が紫外線硬貨インク層或いは染料インク層から成り、該紫外線硬貨インク層或いは染料インク層を前記表示範囲の全面に有することが好ましい。
このようにすれば、着色層を光透過性に優れた紫外線硬貨インク層或いは染料インク層とすることで、リライト記録層に記録された表示を、紫外線硬貨インク層或いは染料インク層を通して視認し易いようにできるとともに、該染料インク層を表示範囲の全面に設けることで、表示範囲の視認性を向上できる。
【００１０】
本発明のリライトカードは、前記染料インク層の上面に透明な保護層を有することが好ましい。
このようにすれば、前記着色層の損耗を低減または回避することができる。
【００１１】
本発明のリライトカードは、前記可逆性感熱記録材料が、ロイコ染料と顕色剤と凝集、解離により発色、消去が可能なロイコ式感熱記録材料であり、前記基材フィルムが、前記リライト記録層の形成面に白色表面を有することが好ましい。
このようにすれば、表示範囲の背面色が白色となることで、表示範囲に表示されている記録表示の視認性を向上できるばかりか、色の違いの区別が判りやすくなるため、表示範囲の視認性もより一層向上できる。
【００１２】
本発明のリライトカードは、前記ロイコ式感熱記録材料により発色する色が、黒色であることが好ましい。
このようにすれば、発色する色が青色である場合には、青系色の染料インク層を使用すると、記録表示の視認性が低下してしまうのに対し、発色する色を黒色とすることで、青系色の染料インク層を使用しても記録表示の視認性低下を回避でき、より多くの色の染料インク層を使用することができる。
【００１３】
本発明のリライトカードは、前記情報表示部の外周部に、カード種別に対応する色調を有する印刷層を有することが好ましい。
このようにすれば、外周部の色調により、カード種別の識別を目視にて迅速かつ正確に実施することができる。
【００１４】
本発明のリライトカードは、前記異なる種別の表示情報の１つが、給油並びに給油に伴う金銭に関する表示情報であり、前記異なる種別の表示情報の１つが、会員または会員が所有する車輌に関する情報であることが好ましい。
このようにすれば、これらのリライトカードを、ガソリンスタンド、特には給油要員がいないセルフスタンド等における会員カードとして好適に使用することができる。
【００１５】
【発明の実施の形態】
以下、図面に基づいて本発明の実施形態を説明する。
図１は、本発明のリライトカードをセルフガソリンスタンドのプリペイド機能付きの会員カードであるセルフカードに適用した例を示すものであり、本実施例のセルフカードの一面には、その外周に各セルフカード１の種別、具体的には、図３に示すように、通常の会員に発行される通常会員用カードと、ＶＩＰ会員に発行されるＶＩＰ会員用カードと、ゴールド会員に発行されるゴールド会員用カードの各種別に対応する３ａ、３ｂ、３ｃの各色調の印刷が施されたカード種別識別領域３と、該カード種別識別領域３に囲まれる領域であって、各種の情報を表示記録可能な情報表示部２が形成されている。
【００１６】
この情報表示部２には、セルフカード１の上方位置に、ガソリンスタンドにおける給油量や給油単価、カード残額や現金による支払額、給油利用日、給油等により付与されたポイント数並びに累計ポイント数等の給油並びに給油に伴う金銭に関する表示情報が記録表示されるプリペイド表示領域４と、セルフカード１の上方位置に、各会員または会員が所有する車輌に関する情報、例えば、会員種別や会員の氏名、車検日や前回のオイル交換日や走行距離、次回のオイル交換の目安となる交換日や走行距離、コーティング処理等の実施日等の情報が記録表示される会員情報表示領域６と、該会員情報表示領域６と前記プリペイド表示領域４とに挟まれ、カードに所持者へのメッセージ情報が記録表示されるメッセージ情報表示領域５とに区分されていて、各表示領域（表示範囲）には、各表示領域の全面に、各表示領域に対応する異なる色、例えばプリペイド表示領域４には黄色、メッセージ情報表示領域５には無色、会員情報表示領域６にはピンク色のように、色分けされることで、各表示領域（表示範囲）を目視にて容易に識別できるようになっている。
【００１７】
この本実施例のセルフカード１に用いたリライトカードの構成は、図２に示すように、白色とされたポリエチレンテレフタレート（ＰＥＴ）フィルムから成る基材フィルム１４の一方の面に磁気記録層１６を設け、他方の面上に発色部２０を有するロイコリライト記録層１５が形成されている。
【００１８】
また、ロイコリライト記録層１５の上面には、中間層１３を介して着色層１２が前記各表示領域（表示範囲）に対応する範囲に形成されているとともに、中間層１３を介して印刷層１８が、前記カード種別識別領域３対応する範囲に形成され、該着色層１２と印刷層１８の上面には、保護層１９が形成されている。
【００１９】
本実施例に用いた中間層１３は、着色層１２や印刷層１８の印刷において、ロイコリライト記録層１５に含まれるロイコ染料や顕色剤が、着色層１２となる着色層インクや印刷層１８となる印刷層インクにより悪影響を受けることを回避するためのバリア層として機能するものである。
【００２０】
また、保護層１９は、記録時やカードの挿抜時においてサーマルヘッドやリーダライタの搬送機構等との当接により着色層１２や印刷層１８が損耗することを回避するためのものであり、耐摩耗性に優れた透明樹脂皮膜により形成されている。
【００２１】
前記ロイコリライト記録層１５としては、通常において使用されるロイコ化合物、顕減色剤およびバインダーを主成分として構成される青発色或いは黒発色のロイコリライト記録材料を使用することができる。
【００２２】
これらロイコ化合物としては、ラクトン、サルトン、スピロピラン等の部分骨格を有するキサンテン、スピロピラン、ラクトン、フルオラン、サルトン系等が用いられる。具体的には、クリスタルバイオレット、ラクトン、３−インドリノ−ｐ−ジメチルアミノフェニル−６−ジメチルアミノフタリド、３−ジメチルアミノ−７−クロロフルオラン、２−（２−フルオロフェニルフミノ）−６−ジメチルアミノフルオラン、２−（２−フルオロフェニルアミノ）−６−ジ−ｎ−ブチルアミノフルオラン、３−ジメチルアミノ−７−シクロヘキシルアミノフルオラン、３−ジメチルアミノ−５−メチル−７−ｔ−ブチルフルオラン、３−ジメチルアミノ−６−メチル−７−アニリノフルオラン、３−シクロヘキシルアミノ−６−クロロフルオラン、２−アリニノ−３−メチル−７−アニリロフルオラン、３−ピロリジノ−７−シクロヘキシルアミノフルオラン、３−Ｎ−メチルシクロヘキシルアミノ−６−メチル−７−アニリロフルオラン、３−Ｎ−メチルペンチルアミノ−６−メチル−７−アニリロフルオラン等の１種または２種類以上の混合物が例示される。
【００２３】
また顕減色剤としては、フェノール性水酸基またはカルボキシル基からなる酸性基とアミノ基からなる塩基性基の双方を有する化合物で、熱エネルギーの相違により酸性または塩基性となってロイコ化合物を顕色・減色させるものである。塩基性基の官能基として存在してもよいし、塩化化合物の一部として存在してもよい。アミノ基を官能基として有する顕減色剤としては、例えば、アミノ安息香酸類、ヒドロキシサリチル酸類、没食子酸類、ビスフェーノール酢酸等の酸と脂肪族アミン類、フェニルアルキルアミン類、トリルアルキルアミン類等の塩基と塩または錯塩が挙げられる。また、これらの顕減色剤は、２種以上同時に使用してもよい。なお、ロイコ化合物と顕減色剤との割合については特に限定されないが、ロイコ化合物１重量部に対して顕減色剤１〜２０重量部、好ましくは２〜１０重量部の範囲が例示される。
【００２４】
また、ロイコ化合物と顕減色剤を担持するバインダー樹脂としては、通常は、水または有機溶剤に溶解若しくは分散したものを上記支持体上に塗布、乾燥して形成される。この時、バインダー樹脂は特に限定されないが、例えば、アクリル系樹脂、ポリエステル、ポリウレタン、ポリウレア、メラミン樹脂、ポリカーボネート、ポリアミド、ポリビニルピロリドン、ポリビニールアルコール、ポリ塩化ビニル、ポリビニルブチラール等のポリマー類や、パラフィンワックス、ポリエチレンワックス、カルナウバワックス、マイクロクリスタリンワックス、ステアリン酸アミド等のワックス類の他、ヒドロキシエチルセルロース等のセルロース類、ゼラチンカゼイン、デンプン、およびゴム類等の単体樹脂若しくは混合樹脂が挙げられる。尚これらの樹脂の内、記録材料の繰り返し特性や耐熱性を上げるために、特に熱硬化性樹脂や耐熱性樹脂の適用が好ましい。
【００２５】
これらロイコリライト記録層１５の記録および消去の原理について簡潔に説明すると、サーマルヘッドやレーザーによって熱エネルギー、例えば高温（３００度以上）、短時間（数ミリ秒〜数百ミリ秒）の加熱処理をリライト記録層に施すと、顕減色剤のフェノール性水酸基またはカルボキシル基から水素イオンが放出される。この水素イオンはロイコ化合物と反応し、ロイコ化合物が開環すると有色の画像を形成する。また、この画像に対して熱ローラ等にて別の熱エネルギー、例えば低温（顕減色剤の融点付近またはそれ以上の温度、例えば１００〜２００度）を長時間（１秒以上）の加熱処理が施されると、上記顕減色剤のアミノ基の作用を受けて水素イオンが奪われ、ロイコ化合物が閉環し無色となつて消去される。さらに消去された記録層に対して再度熱エネルギーの加熱処理を施すと再び画像を形成することができる。この画像の形成と消去は繰り返し行うことが可能で、かつ熱エネルギーを作用させない限り画像形成状態または画像消去状態を保持している。
【００２６】
また、消色助剤を上述したリライト記録層に混合してもよい。消色助剤は、消色時に作用する顕減色剤より相対的に塩基性が弱く、消色時にロイコ化合物に作用してこれを減色させる。画像形成状態にあるリライト記録層に対して熱エネルギーの加熱処理を施した場合、顕減色剤のアミノ基の作用に加えて消色助剤も作用し、ロイコ化合物から水素イオンを奪ってこれを顕減色剤に戻す。これにより、消色性を著しく改善することができる。
【００２７】
なお、ロイコリライト記録層１５の発色形態としては、現状においては黒色発色タイプと青色発色タイプの２種あるが、本発明に関しては両タイプに対して有効であるが、黒色タイプとすることで、前記各表示領域（表示範囲）の全面に形成される色として、青系色も使用できるようになり、多数の表示領域（表示範囲）を形成する場合において、複数の色を使用したい場合において色の選択の自由度を向上できることから好ましい。
【００２８】
次いで、着色層１２について説明すると、着色層１２は、前記ロイコリライト記録層１５の上面に、各表示領域（表示範囲）の全面に形成されることから、該着色層１２を透して発色部２０を目視し易くする必要があるため、紫外線の透過性とともに、比較的光透過性に優れる紫外線硬貨インクや、インク中の色素として染料系色素を使用した染料インクを使用することが好ましく、本実施例では、処理速度の向上とロイコリライト記録層１５への印刷性の観点から、紫外線硬貨インクを使用している。尚、これら染料として蛍光染料を使用して、光が少ない夜間に、暗所において表示文字を確認できるようにしても良い。
【００２９】
これら本実施例のように、着色層１２をロイコリライト記録層１５の上方位置に形成することは、表示領域（表示範囲）の形状や個数が異なる種々のリライトカードにおいて、ロイコリライト記録層１５が形成された原反を共通化でき、該共通原反に着色層１２や保護層１９等を印刷形成するのみで種々のリライトカードを作製できることから好ましいが、本発明はこれに限定されるものではなく、図６のリライトカード１００に示すように、これら着色層１２をロイコリライト記録層１５の下面側（基材フィルム側）に設けるようにしても良く、この場合には、ロイコリライト記録層１５が上面にあるため、光透過性を必要としないことから着色層１２として、染料インクではなく、光透過性が低いか或いは光透過性を有しない顔料系インクを使用するようにしても良い。
【００３０】
次いで、印刷層１８について説明すると、該印刷層１８はカード種別識別領域３に対応し、各カード種別に対応する色調のインク、例えば通常会員用カードの場合にはグリーン、ＶＩＰ会員用カード場合には赤、ゴールド会員用カードの場合には金色等による印刷が実施されることで、該色調によりカードの種別を簡便に把握できるようにすれば良い。
【００３１】
また、本実施例では、各表示領域（表示範囲）を識別可能とするために、各表示領域（表示範囲）の全面に着色層１２を形成しており、このようにすることは、色により各表示領域（表示範囲）を明確に識別できることから好ましいが、本発明はこれに限定されるものではなく、例えば図４のリライトカード１’に示すように、各表示領域（表示範囲）を囲むように、その外周位置にのみ、各表示領域（表示範囲）に対応する色の着色層１２による枠部７ａ、７ｂ、７ｃを設けるようにしても良いし、更には、図５のリライトカード１”に示すように、各記録表示の行頭に、各表示領域（表示範囲）に対応する色の着色層１２によるマーク８ａ、８ｂ、８ｃを設けるようにして、各表示領域（表示範囲）を識別可能としても良い。
【００３２】
以上、本発明の実施形態を図面により前記実施例にて説明してきたが、本発明はこれら実施例に限定されるものではなく、本発明の主旨を逸脱しない範囲における変更や追加があっても本発明に含まれることは言うまでもない。
【００３３】
例えば、前記実施例では、本発明のリライトカードをセルフガソリンスタンドにて使用されるセルフカードとした例を示したが、本発明はこれに限定されるものではなく、これらリライトカードを通常のプリペイドカードや会員カードに使用したり、その他のカードに使用しても良いことは言うまでもない。
【００３４】
また、前記実施例では、プリペイド表示領域４やメッセージ情報表示領域５や会員情報表示領域６に記録表示する内容を例示しているが、本発明はこれに限定されるものではなく、これら例示された以外の内容を表示しても良いことは言うまでもない。
【００３５】
また、前記実施例では、各表示領域（表示範囲）毎を個別の色としているが、本発明はこれに限定されるものではなく、これらの表示領域（表示範囲）の内、隣接していない前記プリペイド表示領域４と会員情報表示領域６とを同じ色としても良い。
【００３６】
また、前記実施例では、各表示領域（表示範囲）毎を個別の色としているが、これら色に代えて、同一色の濃淡を用いるようにしても良い。更には、隣接しない表示領域（表示範囲）に同色を用いるようにしても良い。
【００３７】
また、前記実施例では、ロイコリライト記録層１５の発色による表示を見易くするために、基材であるＰＥＴフィルムを白色ＰＥＴフィルムとして、その表面を白色としているが、本発明はこれに限定されるものではなく、これら白色背面を、透明なＰＥＴフィルムの表面に白色塗膜層を設けて形成するようにしても良い。
【００３８】
また、前記実施例では、リライト記録層としてロイコリライト記録層を用いた例を示したが、本発明はこれに限定されるものではなく、蒸着による銀色背面に白濁文字が形成されるサーモクロミック層等を用いたリライト記録層としても良い。
【００３９】
【発明の効果】
本発明は次の効果を奏する。
（ａ）請求項１の発明によれば、各種別の表示情報が記録表示される表示範囲が、異なる色若しくは濃淡となる着色層により顕在化されることで、該表示範囲を目視にて容易に識別できるようになるため、所持者は、どの表示範囲に表示されている表示情報が何に関する情報なのかを容易に把握することができる。
【００４０】
（ｂ）請求項２の発明によれば、リライト記録層が形成された後工程において、表示範囲に対応して着色層を形成できるようになるため、リライト記録層を有する原反を、表示範囲の違うリライトカードにおいて共通化することができ、リライトカードの製造コストを低減できる。
【００４１】
（ｃ）請求項３の発明によれば、着色層を光透過性に優れた紫外線硬貨インク層或いは染料インク層とすることで、リライト記録層に記録された表示を、紫外線硬貨インク層或いは染料インク層を通して視認し易いようにできるとともに、該染料インク層を表示範囲の全面に設けることで、表示範囲の視認性を向上できる。
【００４２】
（ｄ）請求項４の発明によれば、前記着色層の損耗を低減または回避することができる。
【００４３】
（ｅ）請求項５の発明によれば、表示範囲の背面色が白色となることで、表示範囲に表示されている記録表示の視認性を向上できるばかりか、色の違いの区別が判りやすくなるため、表示範囲の視認性もより一層向上できる。
【００４４】
（ｆ）請求項６の発明によれば、発色する色が青色である場合には、青系色の染料インク層を使用すると、記録表示の視認性が低下してしまうのに対し、発色する色を黒色とすることで、青系色の染料インク層を使用しても記録表示の視認性低下を回避でき、より多くの色の染料インク層を使用することができる。
【００４５】
（ｇ）請求項７の発明によれば、外周部の色調により、カード種別の識別を目視にて迅速かつ正確に実施することができる。
【００４６】
（ｈ）請求項８の発明によれば、これらのリライトカードを、ガソリンスタンド、特には給油要員がいないセルフスタンド等における会員カードとして好適に使用することができる。
【図面の簡単な説明】
【図１】本発目の実施例におけるセルフカード（リライトカード）を示す正面図である。
【図２】本発目の実施例におけるセルフカード（リライトカード）を示す断面図である。
【図３】（Ａ）〜（ｃ）は、本発目の実施例に用いた各種セルフカード（リライトカード）を示す正面図である。
【図４】その他の形態のセルフカード（リライトカード）を示す正面図である。
【図５】その他の形態のセルフカード（リライトカード）を示す正面図である。
【図６】その他の形態のセルフカード（リライトカード）を示す断面図である。
【符号の説明】
１      セルフカード（リライトカード）
２      情報表示部
３      カード種別識別領域
４      プリペイド表示領域
５      メッセージ情報表示領域
６      会員情報表示領域
７ａ    枠部
７ｂ    枠部
７ｃ    枠部
８ａ    マーク
８ｂ    マーク
８ｃ    マーク
１２    着色層
１３    中間層
１４    基材フィルム
１５    ロイコリライト記録層
１６    磁気記録層
１８    印刷層
１９    保護層
２０    発色部
【図１】
2005028752.tif 000003
【図２】
2005028752.tif 000004
【図３】
2005028752.tif 000005
【図４】
2005028752.tif 000006
【図５】
2005028752.tif 000007
【図６】
2005028752.tif 000008